(57)【特許請求の範囲】
【請求項１】
筒状に形成されるとともに、コイルと、絶縁部材と、前記絶縁部材を介して前記コイルが巻回される複数の突極部を有するステータコアとを備えるステータであって、
前記ステータコアは、環状に形成される外周環部と、前記外周環部から前記ステータの径方向の内側に向かって突出するとともに前記ステータの周方向において一定の間隔で配置される複数の前記突極部とを備え、
前記外周環部は、複数の前記突極部と同じ数の外周部によって構成され、
複数の前記外周部は、前記周方向に配列されるとともに、複数の前記外周部のそれぞれに、１個の前記突極部が繋がっており、
前記周方向における前記外周部の境界の１箇所には、つなぎ目が形成され、
前記周方向における前記外周部の境界のうちの前記つなぎ目が形成される１箇所を除いた残りの箇所には、前記径方向における前記外周部の外側端同士を繋ぐ連結部が形成され、
前記周方向における前記外周部の両端のそれぞれには、前記ステータの軸方向から見たときの形状が直線となる平面状の当接面が形成され、
前記周方向で隣り合う前記外周部の前記当接面同士が互いに当接しており、
前記つなぎ目で当接する２個の前記当接面を第１当接面とし、前記径方向における前記連結部の内側で当接する前記当接面を第２当接面とすると、
前記軸方向から見たときに、前記第１当接面と、前記第１当接面が形成される前記外周部に繋がる前記突極部の前記周方向の中心線とがなす角度は、前記第２当接面と、この第２当接面が形成される前記外周部に繋がる前記突極部の前記周方向の中心線とがなす角度よりも小さくなっていることを特徴とするステータ。
【請求項２】
前記第１当接面が形成される前記外周部を第１外周部とすると、
前記第１外周部の前記第２当接面と、前記第１外周部に繋がる前記突極部の前記周方向の中心線とがなす角度は、前記第１外周部以外の前記外周部の前記第２当接面と、この第２当接面が形成される前記外周部に繋がる前記突極部の周方向の中心線とがなす角度よりも大きくなっていることを特徴とする請求項１記載のステータ。
【請求項３】
請求項１または２記載のステータと、駆動用磁石を有し前記ステータの内周側に配置されるロータとを備えることを特徴とするモータ。
【請求項４】
請求項３に記載のモータと、前記ロータに取り付けられる羽根車と、前記羽根車および前記ロータが配置され流体が通過するポンプ室と、前記ステータと前記ポンプ室との間に配置され前記ステータの配置箇所への前記ポンプ室内の流体の流入を防止する隔壁部材と、前記ステータを覆う樹脂製の樹脂封止部材とを備えることを特徴とするポンプ装置。
【発明の詳細な説明】
【技術分野】
【０００１】
本発明は、モータ等で使用されるステータに関する。また、本発明は、このステータを備えるモータ、および、このモータを備えるポンプ装置に関する。
【背景技術】
【０００２】
従来、ロータと、ロータの外周側に配置される円筒状のステータとを備えるモータが知られている（たとえば、特許文献１参照）。特許文献１に記載のモータでは、ステータは、ステータコアと、ステータコアのティース部にインシュレータを介して巻回される駆動用コイルとを備えている。ステータコアは、ステータの周方向に分割される複数の分割コアを組み合わせることで形成されており、分割コアは、ステータの径方向におけるティース部の外側端に繋がる外ヨーク部を備えている。また、特許文献１には、ステータコアは、外ヨーク部が一体で連なった帯状のコアを円環状に折り曲げてその端部同士を繋ぐことで形成されるいわゆるカーリングコアでも良い旨が記載されている。
【０００３】
カーリングコアは、たとえば、図７に示すように、連結部１０１を介して繋がる複数の外ヨーク部１０２によって構成される直線状の帯状部分１０３と、複数の外ヨーク部１０２のそれぞれから帯状部分１０３の長手方向に直交する方向へ突出するティース部（突極部）１０４とを有するコア原体１０５を用いて形成される。また、カーリングコアは、帯状部分１０３が円環状となるようにかつ径方向の内側へ突極部１０４が突出するように、たとえば、図８（Ａ）〜（Ｃ）に示す順番で、帯状部分１０３を連結部１０１で順次、折り曲げて帯状部分１０３の両端同士を接続することで形成される。
【０００４】
なお、特許文献１に記載のモータでは、突極部１０４の先端面（ステータの径方向における内側面）は、ステータの軸方向から見たときの形状が円弧状となる曲面状に形成されている。突極部１０４の先端面は、ステータの周方向においてエアギャップ（ロータとステータとの径方向の隙間）が一定になるように、設計上では、ステータの軸方向から見たときに、ステータの軸中心Ｃ１０を中心とする仮想円ＶＣ１０上に配置されている。
【先行技術文献】
【特許文献】
【０００５】
【特許文献１】特開２０１０−５７２１１号公報
【発明の概要】
【発明が解決しようとする課題】
【０００６】
図８（Ａ）〜（Ｃ）に示す順番で、帯状部分１０３を順次、折り曲げていく場合、図７に示す状態から図８（Ａ）に示す状態へ最初に折り曲げられた連結部１０１には、図８（Ａ）に示す状態から図８（Ｂ）に示す状態へ２回目に帯状部分１０３を折り曲げる際、および、図８（Ｂ）に示す状態から図８（Ｃ）に示す状態へ３回目に帯状部分１０３を折り曲げる際にも、折り曲げ方向への力が作用する。すなわち、最初に折り曲げられた連結部１０１には、折り曲げ後にも２回、折り曲げ方向への力が作用する。
【０００７】
また、２回目に折り曲げられた連結部１０１には、図８（Ｂ）に示す状態から図８（Ｃ）に示す状態へ３回目に帯状部分１０３を折り曲げる際にも、折り曲げ方向への力が作用する。すなわち、２回目に折り曲げられた連結部１０１には、折り曲げ後にも１回、折り曲げ方向への力が作用する。これに対して、３回目に折り曲げられた連結部１０１には、折り曲げ後に折り曲げ方向への力が作用しない。
【０００８】
本願発明者の検討によると、たとえば、突極部１０４の数が６個である場合のように、突極部１０４の数が少ない場合に、図８に示すように帯状部分１０３を順次、折り曲げると、コア原体１０５において帯状部分１０３の両端のそれぞれに配置される２個の外ヨーク部１０２Ａに繋がる突極部１０４Ａの先端面が、ステータの軸方向から見たときに、仮想円ＶＣ１０上から大きくずれることが明らかになった。
【０００９】
すなわち、突極部１０４の数が少ない場合に、図８に示すように帯状部分１０３を順次、折り曲げると、ステータの軸方向から見たときに６個の突極部１０４の先端面によって形成される円の真円度が突極部１０４Ａにおいて低下することが本願発明者の検討によって明らかになった。具体的には、図８（Ｃ）のＧ部の拡大図である図９に示すように、ステータの軸方向から見たときに、突極部１０４Ａの先端面が仮想円ＶＣ１０から径方向の外側に大きくずれて、６個の突極部１０４の先端面によって形成される円の真円度が突極部１０４Ａにおいて低下することが本願発明者の検討によって明らかになった。
【００１０】
そこで、本発明の課題は、カーリングコアであるステータコアを有するステータにおいて、ステータコアの突極部の数が比較的少なくても、ステータの軸方向から見たときに複数の突極部の先端面によって形成される円の真円度の低下を抑制することが可能なステータを提供することにある。また、本発明の課題は、かかるステータを備えるモータを提供することにある。さらに、本発明の課題は、かかるモータを備えるポンプ装置を提供することにある。
【課題を解決するための手段】
【００１１】
上記の課題を解決するため、本発明のステータは、筒状に形成されるとともに、コイルと、絶縁部材と、絶縁部材を介してコイルが巻回される複数の突極部を有するステータコアとを備えるステータであって、ステータコアは、環状に形成される外周環部と、外周環部からステータの径方向の内側に向かって突出するとともにステータの周方向において一定の間隔で配置される複数の突極部とを備え、外周環部は、複数の突極部と同じ数の外周部によって構成され、複数の外周部は、周方向に配列されるとともに、複数の外周部のそれぞれに、１個の突極部が繋がっており、周方向における外周部の境界の１箇所には、つなぎ目が形成され、周方向における外周部の境界のうちのつなぎ目が形成される１箇所を除いた残りの箇所には、径方向における外周部の外側端同士を繋ぐ連結部が形成され、周方向における外周部の両端のそれぞれには、ステータの軸方向から見たときの形状が直線となる平面状の当接面が形成され、周方向で隣り合う外周部の当接面同士が互いに当接しており、つなぎ目で当接する２個の当接面を第１当接面とし、径方向における連結部の内側で当接する当接面を第２当接面とすると、軸方向から見たときに、第１当接面と、第１当接面が形成される外周部に繋がる突極部の周方向の中心線とがなす角度は、第２当接面と、この第２当接面が形成される外周部に繋がる突極部の周方向の中心線とがなす角度よりも小さくなっていることを特徴とする。
【００１２】
本発明のステータでは、外周環部は、ステータの周方向に配列される複数の外周部によって構成されており、周方向における外周部の境界の１箇所に、つなぎ目が形成され、周方向における外周部の境界のうちのつなぎ目が形成される１箇所を除いた残りの箇所には、径方向における外周部の外側端同士を繋ぐ連結部が形成されている。また、本発明では、周方向における外周部の両端のそれぞれに、ステータの軸方向から見たときの形状が直線となる平面状の当接面が形成されるとともに、周方向で隣り合う外周部の当接面同士が互いに当接している。さらに、本発明では、つなぎ目で当接する２個の当接面を第１当接面とし、径方向における連結部の内側で当接する当接面を第２当接面とすると、軸方向から見たときに、第１当接面と、第１当接面が形成される外周部に繋がる突極部の周方向の中心線とがなす角度は、第２当接面と、この第２当接面が形成される外周部に繋がる突極部の周方向の中心線とがなす角度よりも小さくなっている。
【００１３】
そのため、本発明では、連結部を介して繋がる複数の外周部によって構成される帯状のコアを連結部で順次、折り曲げ、最終的に２個の第１当接面を当接させてつなぎ目を形成することで製造されるステータコアにおいて、ステータコアの突極部の数が比較的少なくても、ステータの軸方向から見たときに、最後に折り曲げられた外周部に繋がる突極部の先端面を上述の仮想円ＶＣ１０に近づけることが可能になる。したがって、本発明では、カーリングコアであるステータコアを有するステータにおいて、ステータコアの突極部の数が比較的少なくても、ステータの軸方向から見たときに複数の突極部の先端面によって形成される円の真円度の低下を抑制することが可能になる。
【００１４】
本発明において、第１当接面が形成される外周部を第１外周部とすると、第１外周部の第２当接面と、第１外周部に繋がる突極部の周方向の中心線とがなす角度は、第１外周部以外の外周部の第２当接面と、この第２当接面が形成される外周部に繋がる突極部の周方向の中心線とがなす角度よりも大きくなっていることが好ましい。このように構成すると、第１外周部に繋がる突極部の先端面を上述の仮想円ＶＣ１０により近づけることが可能になる。したがって、カーリングコアであるステータコアの突極部の数が比較的少なくても、ステータの軸方向から見たときに複数の突極部の先端面によって形成される円の真円度の低下を効果的に抑制することが可能になる。
【００１５】
本発明のステータは、駆動用磁石を有しステータの内周側に配置されるロータを備えるモータに用いることができる。また、このモータは、ロータに取り付けられる羽根車と、羽根車およびロータが配置され流体が通過するポンプ室と、ステータとポンプ室との間に配置されステータの配置箇所へのポンプ室内の流体の流入を防止する隔壁部材と、ステータを覆う樹脂製の樹脂封止部材とを備えるポンプ装置に用いることができる。このモータおよびポンプ装置では、カーリングコアであるステータコアの突極部の数が比較的少なくても、ステータの軸方向から見たときに複数の突極部の先端面によって形成される円の真円度の低下を抑制することが可能になる。
【発明の効果】
【００１６】
以上のように、本発明では、カーリングコアであるステータコアを有するステータにおいて、ステータコアの突極部の数が比較的少なくても、ステータの軸方向から見たときに複数の突極部の先端面によって形成される円の真円度の低下を抑制することが可能になる。また、本発明のモータおよびポンプ装置では、カーリングコアであるステータコアの突極部の数が比較的少なくても、ステータの軸方向から見たときに複数の突極部の先端面によって形成される円の真円度の低下を抑制することが可能になる。
【図面の簡単な説明】
【００１７】
【図１】本発明の実施の形態にかかるポンプ装置の断面図である。
【図２】図１に示すステータの斜視図である。
【図３】図２に示すステータコアの平面図である。
【図４】図３に示す外周部の具体的な構成を説明するための拡大図である。
【図５】加工後に図３に示すステータコアとなるコア原体の平面図である。
【図６】図３に示すステータコアの形成方法を説明するための図である。
【図７】従来技術にかかるステータコアの構成を説明するための図である。
【図８】従来技術の問題点を説明するための図である。
【図９】図８のＧ部の拡大図である。
【発明を実施するための形態】
【００１８】
以下、図面を参照しながら、本発明の実施の形態を説明する。
【００１９】
（ポンプ装置の概略構成）
図１は、本発明の実施の形態にかかるポンプ装置１の断面図である。なお、以下の説明では、図１の上側（Ｚ１方向側）を「上」側とし、図１の下側（Ｚ２方向側）を「下」側とする。
【００２０】
本形態のポンプ装置１は、キャンドポンプ（キャンドモータポンプ）と呼ばれるタイプのポンプであり、羽根車２と、羽根車２を回転させるモータ３と、モータ３を制御するための回路基板４とを備えている。モータ３は、ロータ５とステータ６とによって構成されている。羽根車２、モータ３および回路基板４は、ハウジング７と、ハウジング７の上部を覆う上ケース８とによって構成されるケース体の内部に配置されている。ハウジング７と上ケース８とは、図示を省略するネジによって互いに固定されている。
【００２１】
上ケース８には、流体の吸入部８ａと、流体の吐出部８ｂとが形成されている。ハウジング７と上ケース８との間には、吸入部８ａから吸入された流体が吐出部８ｂに向かって通過するポンプ室９が形成されている。また、ハウジング７と上ケース８との接合部分には、ポンプ室９の密閉性を確保するためのシール部材（Ｏリング）１０が配置されている。ハウジング７は、ポンプ室９とステータ６とを隔てるようにポンプ室９とステータ６との間に配置される隔壁部材１１と、隔壁部材１１の下面および側面を覆う樹脂製の樹脂封止部材１２とを備えている。
【００２２】
ロータ５は、駆動用磁石１４と、円筒状のスリーブ１５と、駆動用磁石１４およびスリーブ１５を保持する保持部材１６とを備えている。保持部材１６は、鍔付きの略円筒状に形成されている。駆動用磁石１４は、保持部材１６の外周側に固定され、スリーブ１５は、保持部材１６の内周側に固定されている。上側に配置される保持部材１６の鍔部１６ａには、羽根車２が固定されている。羽根車２およびロータ５は、ポンプ室９の内部に配置されている。
【００２３】
ロータ５は、固定軸１７に回転可能に支持されている。固定軸１７は、固定軸１７の軸方向と上下方向とが一致するように配置されている。すなわち、上下方向は、ロータ５の軸方向である。固定軸１７の上端は、上ケース８に保持され、固定軸１７の下端は、ハウジング７に保持されている。固定軸１７は、スリーブ１５の内周側に挿通されている。また、固定軸１７には、スリーブ１５の上端面に当接するスラスト軸受部材１８が取り付けられている。本形態では、スリーブ１５がロータ５のラジアル軸受として機能し、スリーブ１５およびスラスト軸受部材１８がロータ５のスラスト軸受として機能している。
【００２４】
ステータ６は、コイルとしての駆動用コイル２３と、ステータコア２４と、絶縁部材としてのインシュレータ２５とを備えており、全体として筒状に形成されている。具体的には、ステータ６は、略円筒状に形成されている。ステータ６は、隔壁部材１１を介して、ロータ５の外周側に配置されている。すなわち、ロータ５は、ステータ６の内周側に配置されている。また、ステータ６は、ステータ６の軸方向と上下方向とが一致するように配置されている。すなわち、上下方向は、ステータ６の軸方向である。また、ステータ６は、駆動用コイル２３の端部が絡げられて電気的に接続される端子ピン２６を備えている。ステータ６の具体的な構成については後述する。なお、以下の説明では、ロータ５およびステータ６の径方向を「径方向」とし、ロータ５およびステータ６の周方向（円周方向）を「周方向」とする。
【００２５】
隔壁部材１１は、鍔付きの略有底円筒状に形成されており、円筒部１１ｂと底部１１ｃと鍔部１１ｄとを備えている。円筒部１１ｂは、円筒状に形成されており、駆動用磁石１４の外周面を覆うように配置されている。また、円筒部１１ｂは、円筒部１１ｂの軸方向と上下方向とが略一致するように配置されている。底部１１ｃは、円筒部１１ｂの下端を塞ぐ略円板状に形成されている。鍔部１１ｄは、円筒部１１ｂの上端から径方向の外側へ広がるように形成されている。
【００２６】
底部１１ｃの上面には、固定軸１７の下端側を保持する軸保持部１１ｈが上側へ突出するように形成されている。底部１１ｃの下面には、回路基板４を隔壁部材１１に固定するための固定用突起１１ｊと、回路基板４を位置決めするための位置決め用突起１１ｋとが下側へ突出するように形成されている。図１に示すように、隔壁部材１１の内側および上側がポンプ室９となっており、羽根車２およびロータ５は、隔壁部材１１の内側および上側に配置されている。隔壁部材１１は、ステータ６の配置箇所へのポンプ室９内の流体の流入を防止する機能を果たしている。
【００２７】
回路基板４は、回路基板４の厚さ方向と上下方向とが一致するように、底部１１ｃの下面側に固定されている。具体的には、回路基板４は、固定用突起１１ｊと位置決め用突起１１ｋとによって位置決めされた状態で、固定用突起１１ｊにねじ込まれるネジ３４によって、底部１１ｃの下面側に固定されている。また、回路基板４には、端子ピン２６の下端側部分が半田付けされて固定されている。
【００２８】
樹脂封止部材１２は、回路基板４および駆動用コイル２３等を完全に覆って、回路基板４および駆動用コイル２３等を流体から保護するために設けられている。この樹脂封止部材１２は、回路基板４およびステータ６が取り付けられた状態の隔壁部材１１に対して、樹脂材料を射出することで形成されている。具体的には、回路基板４およびステータ６が取り付けられた隔壁部材１１を金型内に配置し、この金型内に樹脂材料を注入して硬化させることで樹脂封止部材１２が形成されている。樹脂封止部材１２は、全体として略有底円筒状に形成されており、回路基板４、ステータ６、円筒部１１ｂおよび底部１１ｃを完全に覆っている。また、樹脂封止部材１２は、鍔部１１ｄの下面を覆っている。
【００２９】
（ステータの構成）
図２は、図１に示すステータ６の斜視図である。図３は、図２に示すステータコア２４の平面図である。図４は、図３に示す外周部２４ｅの具体的な構成を説明するための拡大図である。
【００３０】
ステータ６は、上述のように、駆動用コイル２３とステータコア２４とインシュレータ２５と端子ピン２６とを備えている。ステータコア２４は、磁性材料からなる薄い磁性板が積層されて形成された積層コアである。このステータコア２４は、図３に示すように、環状に形成される外周環部２４ａと、外周環部２４ａから径方向の内側に向かって突出する複数の突極部２４ｂとを備えている。本形態のステータコア２４は、６個の突極部２４ｂを備えている。６個の突極部２４ｂは、等角度ピッチで形成されており、周方向において一定の間隔で配置されている。なお、ステータコア２４が有する突極部２４ｂの数は、６個以外の数であっても良い。
【００３１】
外周環部２４ａは、上下方向から見たときの外周面の形状が略円形状となり、上下方向から見たときの内周面の形状が略六角形状となる環状に形成されている。外周環部２４ａの外周面は、ステータコア２４の外周面を構成している。上下方向から見たときの外周環部２４ａの軸中心は、ステータコア２４の軸中心となっている。また、上下方向から見たときのステータコア２４の軸中心は、ステータ６の軸中心Ｃ１と一致している。
【００３２】
外周環部２４ａは、周方向に配列される６個の外周部２４ｅによって構成されている。すなわち、外周環部２４ａは、突極部２４ｂと同じ数の外周部２４ｅによって構成されている。周方向における外周環部２４ａの一部分であって、上下方向から見たときに略六角形状をなす外周環部２４ａの内周面の１つの頂点とその頂点に隣り合う頂点との間の部分が１つの外周部２４ｅとなっている。すなわち、周方向における外周環部２４ａの一部分であって、上下方向から見たときに略六角形状をなす外周環部２４ａの内周面の一辺に対応する部分が１つの外周部２４ｅとなっている。
【００３３】
径方向における外周部２４ｅの外側面（外周面）は、上下方向から見たときの形状が略円弧状となる凸曲面状に形成されている。径方向における外周部２４ｅの内側面は、上下方向から見たときの形状が直線状となる平面状に形成されている。外周部２４ｅの外周面には、径方向の内側に向かって窪む凹部２４ｆが形成されている。凹部２４ｆは、上下方向から見たときの形状が円弧状となるように形成されている。また、凹部２４ｆは、上下方向における外周部２４ｅの全域に形成されている。さらに、凹部２４ｆは、上下方向から見たときに、外周部２４ｅの外周面の中心に形成されている。
【００３４】
突極部２４ｂは、周方向における外周部２４ｅの中心に形成されている。すなわち、６個の外周部２４ｅのそれぞれには、１個の突極部２４ｂが繋がっている。また、突極部２４ｂは、突極部２４ｂの先端部である突極先端部２４ｃと、突極先端部２４ｃと外周環部２４ａとを繋ぐ連結部２４ｄとから構成されている。連結部２４ｄは、径方向における外周部２４ｅの内側面に直交する直線状に形成されている。突極先端部２４ｃは、上下方向から見たときに、直線状に形成される連結部２４ｄの先端（径方向内側端）から周方向の両側に向かって伸びる略円弧状に形成されている。
【００３５】
突極部２４ｂの先端面（すなわち、径方向における突極先端部２４ｃの内側面）２４ｇは、上下方向から見たときの形状が円弧状となる曲面状に形成されている。６個の突極部２４ｂの先端面２４ｇは、設計上、上下方向から見たときに、ステータ６の軸中心Ｃ１を中心とする仮想円ＶＣ１上に配置されている。また、６個の先端面２４ｇは、円筒部１１ｂを介して駆動用磁石１４の外周面と対向している。
【００３６】
また、ステータコア２４は、直線状に繋がっていた６個の外周部２４ｅ（図５参照）を、外周部２４ｅと外周部２４ｅとの境界で折り曲げてその端部同士を繋ぐことで形成されるカーリングコアである。すなわち、ステータコア２４は、外周環部２４ａとなる帯状のコアと、この帯状のコアの一方の面から立ち上がる６個の突極部２４ｂとから構成されるコアの端部同士を繋ぐことで、環状に形成されている。そのため、図３に示すように、周方向における６箇所の外周部２４ｅの境界のうちの１箇所にはつなぎ目２４ｈが形成されている。本形態では、つなぎ目２４ｈにおいて、帯状のコアの端部同士が溶接されて互いに固定されており、つなぎ目２４ｈには、溶接跡が形成されている。
【００３７】
また、周方向における６箇所の外周部２４ｅの境界のうちのつなぎ目２４ｈが形成された１箇所を除いた残りの５箇所の外周部２４ｅの境界には、径方向における外周部２４ｅの外側端同士を繋ぐ連結部２４ｊが形成されている。また、周方向における外周部２４ｅの両端のそれぞれには、上下方向から見たときの形状が直線となる平面状の当接面２４ｋが形成されており、周方向で隣り合う外周部２４ｅの当接面２４ｋ同士が互いに当接している。連結部２４ｊが形成される外周部２４ｅの境界では、径方向における連結部２４ｊの内側に当接面２４ｋが配置されており、径方向における連結部２４ｊの内側で当接面２４ｋが当接している。また、つなぎ目２４ｈが形成される外周部２４ｅの境界では、径方向の全域が当接面２４ｋとなっている。
【００３８】
以下では、つなぎ目２４ｈの両側に配置される２個の外周部２４ｅを残りの４個の外周部２４ｅと区別して表す場合には、この２個の外周部２４ｅのうちの一方の外周部２４ｅを「外周部２４ｅ１」とし、他方の外周部２４ｅを「外周部２４ｅ２」とする。また、つなぎ目２４ｈで当接する２個の当接面２４ｋとそれ以外の当接面２４ｋとを区別して表す場合には、この２個の当接面２４ｋのうちの外周部２４ｅ１に形成される当接面２４ｋを「第１当接面２４ｋ１」とし、外周部２４ｅ２に形成される当接面２４ｋを「第１当接面２４ｋ２」とし、径方向における連結部２４ｊの内側で当接する残りの当接面２４ｋを「第２当接面２４ｋ」とする。なお、第１当接面２４ｋ１には、位置決め用の凸部が周方向に突出するように形成され、この凸部が係合する凹部が第１当接面２４ｋ２に形成されている。
【００３９】
上下方向から見たときに、第１当接面２４ｋ１と、外周部２４ｅ１に繋がる突極部２４ｂの周方向における中心線ＣＬとがなす角度θ１（図４参照）、および、第１当接面２４ｋ２と、外周部２４ｅ２に繋がる突極部２４ｂの周方向における中心線ＣＬとがなす角度θ２（図４参照）は、第２当接面２４ｋと、この第２当接面２４ｋが形成される外周部２４ｅに繋がる突極部２４ｂの周方向における中心線ＣＬとがなす角度θ３（図４参照）よりも小さくなっている。
【００４０】
すなわち、角度θ１、θ２は、外周部２４ｅ１、２４ｅ２以外の外周部２４ｅの両端に形成される第２当接面２４ｋと、この第２当接面２４ｋが形成される外周部２４ｅに繋がる突極部２４ｂの周方向における中心線ＣＬとがなす角度θ３よりも小さくなっている。また、角度θ１、θ２は、外周部２４ｅ１に形成される第２当接面２４ｋと、外周部２４ｅ１に繋がる突極部２４ｂの周方向における中心線ＣＬとがなす角度θ３、および、外周部２４ｅ２に形成される第２当接面２４ｋと、外周部２４ｅ２に繋がる突極部２４ｂの周方向における中心線ＣＬとがなす角度θ３よりも小さくなっている。
【００４１】
角度θ１、θ２は、角度θ３よりもわずかに小さくなっている。また、角度θ１と角度θ２とは、等しくなっている。また、角度θ３は、３０°となっており、角度θ１、θ２は、３０°未満となっている。なお、角度θ１と角度θ２とは等しくなくても良い。また、上下方向から見たときに、第１当接面２４ｋ１、２４ｋ２を通過するとともに第１当接面２４ｋ１、２４ｋ２から径方向の内側へ伸びる仮想線ＶＬ１、ＶＬ２、および、第２当接面２４ｋを通過するとともに第２当接面２４ｋから径方向の内側へ伸びる仮想線ＶＬ３は、ステータ６の軸中心Ｃ１を通過する。
【００４２】
インシュレータ２５は、樹脂等の絶縁性材料で形成されている。このインシュレータ２５は、突極部２４ｂごとに取り付けられており、ステータ６は、６個のインシュレータ２５を備えている。すなわち、ステータ６は、突極部２４ｂと同じ数のインシュレータ２５を備えている。また、インシュレータ２５は、両端に鍔部を有する鍔付きの筒状に形成されており、インシュレータ２５の軸方向とステータ６の径方向とが一致するように突極部２４ｂに取り付けられている。インシュレータ２５は、上下方向に分割可能な第１インシュレータ３０と第２インシュレータ３１とによって構成されており、下側に配置される第１インシュレータ３０と上側に配置される第２インシュレータ３１とを組み合わせることでインシュレータ２５が形成される。
【００４３】
端子ピン２６の上端側部分は、第１インシュレータ３０に圧入されて固定されており、端子ピン２６の下端側部分は、第１インシュレータ３０から下側へ突出している。駆動用コイル２３は、アルミニウム合金または銅合金からなる導線によって構成されている。この駆動用コイル２３は、インシュレータ２５を介して突極部２４ｂに巻回されている。駆動用コイル２３の一端部は、第１インシュレータ３０に固定される２本の端子ピン２６の一方に絡げられて固定され、駆動用コイル２３の他端部は、２本の端子ピン２６の他方に絡げられて固定されている。
【００４４】
（ステータの製造方法）
図５は、加工後に図３に示すステータコア２４となるコア原体５４の平面図である。図６は、図３に示すステータコア２４の形成方法を説明するための図である。
【００４５】
ステータ６は、以下のように製造される。まず、加工後にステータコア２４となるコア原体５４（図５参照）に、インシュレータ２５を取り付ける。コア原体５４は、図５に示すように、連結部２４ｊを介して繋がる６個の外周部２４ｅによって構成される直線状の帯状部５４ａと、６個の外周部２４ｅのそれぞれから帯状部５４ａの長手方向に直交する方向へ突出する６個の突極部２４ｂとを備えている。コア原体５４では、外周部２４ｅに凹部２４ｆおよび当接面２４ｋが形成されている。また、コア原体５４の一端に配置される外周部２４ｅは、外周部２４ｅ１となっており、コア原体５４の他端に配置される外周部２４ｅは、外周部２４ｅ２となっている。
【００４６】
その後、インシュレータ２５に端子ピン２６を圧入して固定し、インシュレータ２５を介して突極部２４ｂに駆動用コイル２３を巻回するとともに、駆動用コイル２３を端子ピン２６に半田付けして固定する。
【００４７】
その後、直線状の帯状部５４ａが環状をなす外周環部２４ａとなるように、かつ、径方向における外周環部２４ａの内側へ突極部２４ｂが突出するように、帯状部５４ａを連結部２４ｊで順次、折り曲げる。具体的には、図６（Ａ）〜（Ｃ）に示す順番で、帯状部５４ａの中心から両端側に向かって帯状部５４ａを順次、折り曲げる。帯状部５４ａを折り曲げるときには、図６の矢印で示す方向から折り曲げ用の治具（図示省略）を凹部２４ｆに押し当てて帯状部５４ａを折り曲げる。また、帯状部５４ａを折り曲げるときには、突極部２４ｂの先端面２４ｇが当接する円柱状の治具６０を用いる。なお、図６では、駆動用コイル２３、インシュレータ２５および端子ピン２６の図示を省略している。
【００４８】
その後、帯状部５４ａの端部同士を溶接等によって繋いで、つなぎ目２４ｈを形成する。すなわち、当接面２４ｋ１と当接面２４ｋ２とを溶接等で接合する。帯状部５４ａの端部同士が繋がれるとステータ６が完成する。なお、ステータ６が完成すると、ステータ６の内周側に隔壁部材１１の円筒部１１ｂを挿入する。その後、回路基板４を隔壁部材１１に固定するとともに、端子ピン２６を回路基板４に半田付けして固定する。また、その後、ステータ６および回路基板４を覆うように樹脂封止部材１２を形成する。
【００４９】
（本形態の主な効果）
以上説明したように、本形態では、外周環部２４ａのつなぎ目２４ｈで第１当接面２４ｋ２と当接する第１当接面２４ｋ１と、外周部２４ｅ１に繋がる突極部２４ｂの中心線ＣＬとがなす角度θ１、および、第１当接面２４ｋ１と当接する第１当接面２４ｋ２と、外周部２４ｅ２に繋がる突極部２４ｂの中心線ＣＬとがなす角度θ２が、第２当接面２４ｋと、この第２当接面２４ｋが形成される外周部２４ｅに繋がる突極部２４ｂの中心線ＣＬとがなす角度θ３よりも小さくなっている。
【００５０】
そのため、本形態では、連結部２４ｊを介して繋がる６個の外周部２４ｅによって構成される帯状部５４ａを図６に示すように連結部２４ｊで順次、折り曲げ、最終的に第１当接面２４ｋ１と第１当接面２４ｋ２とを当接させてつなぎ目２４ｈを形成することで製造されるステータコア２４において、突極部２４ｂの数が比較的少なくても、上下方向から見たときに、外周部２４ｅ１、２４ｅ２に繋がる突極部２４ｂの先端面２４ｇを仮想円ＶＣ１に近づけることが可能になる。したがって、本形態では、カーリングコアであるステータコア２４の突極部２４ｂの数が比較的少なくても、上下方向から見たときに６個の先端面２４ｇによって形成される円の真円度の低下を抑制することが可能になる。
【００５１】
（他の実施の形態）
上述した形態は、本発明の好適な形態の一例ではあるが、これに限定されるものではなく本発明の要旨を変更しない範囲において種々変形実施が可能である。
【００５２】
上述した形態において、外周部２４ｅ１に形成される第２当接面２４ｋと、外周部２４ｅ１に繋がる突極部２４ｂの中心線ＣＬとがなす角度θ３（以下、この角度をθ３１とする、図４参照）、および、外周部２４ｅ２に形成される第２当接面２４ｋと、外周部２４ｅ２に繋がる突極部２４ｂの中心線ＣＬとがなす角度θ３（以下、この角度をθ３２とする、図４参照）は、外周部２４ｅ１、２４ｅ２以外の外周部２４ｅの両端に形成される第２当接面２４ｋと、この第２当接面２４ｋが形成される外周部２４ｅに繋がる突極部２４ｂの中心線ＣＬとがなす角度θ３（以下、この角度をθ３３とする、図４参照）より大きくなっていても良い。たとえば、θ３１、θ３２は、θ３３よりもわずかに大きくなっていても良い。
【００５３】
この場合には、外周部２４ｅ１、２４ｅ２に繋がる突極部２４ｂの先端面２４ｇを仮想円ＶＣ１により近づけることが可能になる。したがって、カーリングコアであるステータコア２４の突極部２４ｂの数が比較的少なくても、上下方向から見たときに６個の先端面２４ｇによって形成される円の真円度の低下を効果的に抑制することが可能になる。なお、この場合の外周部２４ｅ１、２４ｅ２は、第１外周部である。また、この場合には、角度θ３１と角度θ３２とが等しくても良いし、等しくなくても良い。
【００５４】
上述した形態では、ステータコア２４は、積層コアであるが、ステータコア２４がカーリングコアであるのであれば、ステータコア２４は、積層コアでなくても良い。また、上述した形態では、モータ３は、ポンプ装置１で使用されているが、モータ３は、ポンプ装置１以外の装置で使用されても良い。また、上述した形態では、ステータ６は、モータ３で使用されているが、ステータ６は、発電機で使用されても良い。
【符号の説明】
【００５５】
１  ポンプ装置
２  羽根車
３  モータ
５  ロータ
６  ステータ
９  ポンプ室
１１  隔壁部材
１２  樹脂封止部材
１４  駆動用磁石
２３  駆動用コイル（コイル）
２４  ステータコア
２４ａ  外周環部
２４ｂ  突極部
２４ｅ  外周部
２４ｅ１、２４ｅ２  外周部（第１外周部）
２４ｈ  つなぎ目
２４ｊ  連結部
２４ｋ  当接面
２４ｋ１、２４ｋ２  第１当接面
２５  インシュレータ（絶縁部材）
ＣＬ  突極部の周方向の中心線
θ１、θ２  第１当接面と突極部の周方向の中心線とがなす角度
θ３  第２当接面と突極部の周方向の中心線とがなす角度
θ３１、θ３２  第１外周部の第２当接面と突極部の周方向の中心線とがなす角度
θ３３  第１外周部以外の外周部の第２当接面と突極部の周方向の中心線とがなす角度
【図１】
0006578180.tif 000002
【図２】
0006578180.tif 000003
【図３】
0006578180.tif 000004
【図４】
0006578180.tif 000005
【図５】
0006578180.tif 000006
【図６】
0006578180.tif 000007
【図７】
0006578180.tif 000008
【図８】
0006578180.tif 000009
【図９】
0006578180.tif 000010